(57)【要約】      （修正有）【課題】身体を直に横たえても、身体が痛くなりにくい構造の岩盤浴槽装置を提供する。【解決手段】岩盤浴装置１０は、人１１の脊柱Ｓ字カーブに倣った形態のＳ字断面を有する金属板１２と、この金属板１２の下面に付設され金属板１２を温める面ヒータ１３と、金属板１２を受けるバックアップ材１４と、金属板１２の上面に付設される格子部材１５と、格子部材１５で区切られた格子空間の各々にセットされる小袋１７からなる。岩盤浴装置１０は、人１１の脊柱Ｓ字カーブに倣った形態のＳ字形状を呈しているため、利用者の体圧が分散される。加えて、身体には小袋１７が当たり、この小袋１７が変形するため、なお一層の体圧分散が図れる。【選択図】図３
0003192518.tif 000002
【実用新案登録請求の範囲】
【請求項１】
人の脊柱Ｓ字カーブに倣った形態のＳ字断面を有する金属板と、
この金属板の下面に付設され又は前記金属板に内蔵され前記金属板を温める面ヒータと、
前記金属板の上面に付設される格子部材と、
前記格子部材で区切られた格子空間の各々にセットされる小袋からなる岩盤浴装置であって、
前記小袋は、無数の通気孔を有する袋体と、この袋体に詰められるクッション材と、このクッション材で包まれるようにして前記袋体に詰められ遠赤外線を放出するセラミックボールとからなることを特徴とする岩盤浴装置。
【請求項２】
前記金属板は、アルミニウム合金板、ステンレス鋼板、チタン合金板の何れかであることを特徴とする請求項１記載の岩盤浴装置。
【請求項３】
前記セラミックボールは、外径が２．０〜６．０ｍｍの球又は塊であり、前記クッション材は、綿であることを特徴とする請求項１又は請求項２記載の岩盤浴装置。
【請求項４】
前記袋体は、前記通気孔を有する人工皮革であり、前記綿は化繊綿であることを特徴とする請求項３記載の岩盤浴装置。
【請求項５】
前記小袋の寸法は、縦×横×厚さが、（５０〜１５０）ｍｍ×（５０〜１５０）ｍｍ×（３０〜６０）ｍｍであることを特徴とする請求項１記載の岩盤浴装置。
【考案の詳細な説明】
【技術分野】
【０００１】
本考案は、岩盤浴装置の改良に関する。
【背景技術】
【０００２】  我が国の（公序良俗違反につき、不掲載）は、岩盤からラジウム線が放射されることで有名である。この放射線は患部に治療効果を発揮すると信じられている。この種の設備は岩盤浴と呼ばれる。（公序良俗違反につき、不掲載）の設備は天然の岩盤浴と呼ばれる。【０００３】  （公序良俗違反につき、不掲載）に出向く手間を省くため、人工の岩盤浴が提案され、実用に供されている（例えば、特許文献１（図２）参照。）。【０００４】
特許文献１を次図に基づいて説明する。
図５は従来の岩盤浴装置の基本構成を説明する図であり、岩盤浴装置１００は、銀イオン人工大理石１０１と、この銀イオン人工大理石１０１の上面に埋設される遠赤外線発生板材１０２と、銀イオン人工大理石１０１を支えるコンクリート層１０３と、このコンクリート層１０３に埋め込まれ銀イオン人工大理石１０１を温めるヒータ１０４とからなる。このような岩盤浴装置１００は大型の浴場に付設されるが、上面が床と面一（つらいち）になるように、平坦とされる。
【０００５】
人１０５は、主に遠赤外線発生板材１０２に載るように、銀イオン人工大理石１０１上に横たわる。ヒータ１０４で遠赤外線発生板材１０２が温められ、遠赤外線発生板材１０２から遠赤外線が放射される。人１０５から出る汗で銀イオン人工大理石１０１の上面が濡れ、放置すると黴や雑菌が発生する。特許文献１では、銀イオンによる殺菌作用で黴や雑菌の発生を防止する。
【０００６】
人１０５が、高齢者である場合には次に述べる問題が発生する。
上面が平坦な岩盤浴装置１００では、身体が痛くなる。高齢者は身体の弾力性が低下することもその要因と考えられる。仮に、痛みを和らげるために、厚いクッションを敷くと、このクッションで遠赤外線が吸収又は遮断され、岩盤浴の作用が弱まる。
高齢者の人口が増加する中、高齢者が身体を直に岩盤浴槽装置に横たえても、身体が痛くなる心配がない構造が求められる。
【先行技術文献】
【特許文献】
【０００７】
【特許文献１】特開２００８−１３１９８２公報
【考案の概要】
【考案が解決しようとする課題】
【０００８】
本考案は、身体を直に岩盤浴槽装置に横たえても、身体が痛くなりにくい構造を提供することを課題とする。
【課題を解決するための手段】
【０００９】
請求項１に係る考案は、人の脊柱Ｓ字カーブに倣った形態のＳ字断面を有する金属板と、この金属板の下面に付設され又は前記金属板に内蔵され前記金属板を温める面ヒータと、前記金属板の上面に付設される格子部材と、前記格子部材で区切られた格子空間の各々にセットされる小袋からなる岩盤浴装置であって、
前記小袋は、無数の通気孔を有する袋体と、この袋体に詰められるクッション材と、このクッション材で包まれるようにして前記袋体に詰められ遠赤外線を放出するセラミックボールとからなることを特徴とする。
【００１０】
請求項２に係る考案では、金属板は、アルミニウム合金板、ステンレス鋼板、チタン合金板の何れかであることを特徴とする。
【００１１】
請求項３に係る考案では、セラミックボールは、外径が２．０〜６．０ｍｍの球又は塊であり、クッション材は、綿であることを特徴とする。
【００１２】
請求項４に係る考案では、袋体は、通気孔を有する人工皮革であり、綿は化繊綿であることを特徴とする。
【００１３】
請求項５に係る考案では、小袋の寸法は、縦×横×厚さが、（５０〜１５０）ｍｍ×（５０〜１５０）ｍｍ×（３０〜６０）ｍｍであることを特徴とする。
【考案の効果】
【００１４】
請求項１に係る考案では、岩盤浴装置は、人の脊柱Ｓ字カーブに倣った形態のＳ字形状を呈しているため、利用者の体圧が分散される。すなわち、ベッドと体（背中）の間に隙間ができると体の狭い部分で体を支えなければならないため、体が痛くなるが、本考案によれば、隙間が発生しないため、体が痛くならない。加えて、身体には小袋が当たり、この小袋が変形するため、なお一層の体圧分散が図れる。
よって、本考案によれば、高齢者が身体を直に岩盤浴槽装置に横たえても、身体が痛くなりにくい構造が提供される。
【００１５】
小袋の中にクッション材が詰められ、このクッション材でセラミックボールが包まれる。セラミックボールがクッション材で包まれているため、身体にセラミックボールが直接当たる心配はない。
【００１６】
微細な穴を無数に有するセラミックボールを採用すると、汗が袋体を通過してセラミックボールに蓄えられる。よって、発汗の処理が迅速になされ、肌は常に清潔な状態になる。又は、袋体を通して外から給水し、セラミックボールに水を蓄えさせることができる。この水は徐々に蒸発し、肌を包む役割を果たす。
【００１７】
請求項２に係る考案では、金属板は、アルミニウム合金板、ステンレス鋼板、チタン合金板の何れかである。岩盤浴中は、多湿空間に金属板が置かれるため、耐腐食性能が求められる。
アルミニウム合金は、表面が酸化アルミニウムで被覆され、濡れても腐食しない。同様に、ステンレス鋼板は、表面が酸化クロムで被覆され、濡れても腐食しない。チタン合金板は、表面が酸化チタンで被覆され、濡れても腐食しない。
【００１８】
アルミニウム合金板は、軽く、比較的安価である。ステンレス鋼は、重いが剛性に富む。チタン合金は、比較的高価であるが、軽い。よって、価格を考慮して適宜選択すればよい。
【００１９】
請求項３に係る考案では、セラミックボールは、外径が２．０〜６．０ｍｍの球又は塊とした。２．０ｍｍ未満では互いに接触し流動性が低下する。６．０ｍｍを超えると身体に局部的な反力を加える虞がある。そこで、外径を２．０〜６．０ｍｍの範囲に収めるようにした。
【００２０】
請求項４に係る考案では、袋体は、通気孔を有する人工皮革であり、綿は化繊綿である。皮革であるから肌さわりがよい。人工であるから量産が可能である。
綿は羊毛など天然物でもよいが、濡れと乾燥を繰り返すとクッション性が低下する心配がある。この点、化繊綿（合繊繊維からなる綿）であれば、濡れに強くクッション性が低下する心配はない。
【００２１】
化繊綿は、微細径の中空糸チューブを撚り合わせたものでもよい。中空糸チューブは、無数の微細孔を有する。この微細孔が水の分子より大径であれば、水を中空糸チューブに蓄えることができる。蓄えた水は面ヒータで温められ、蒸気となって袋体外に放出される。この蒸気は人の肌に潤いを持たせ、岩盤浴効果を高める。
【００２２】
請求項５に係る考案は、小袋の寸法は、縦×横×厚さが、（５０〜１５０）ｍｍ×（５０〜１５０）ｍｍ×（３０〜６０）ｍｍである。適度の大きさであるため、汚れや痛みに応じて、小袋を容易に交換することができる。
【図面の簡単な説明】
【００２３】
【図１】本考案に係る岩盤浴装置の分解図である。
【図２】小袋の断面図である。
【図３】岩盤浴装置の断面図である。
【図４】格子部材の作用図である。
【図５】従来の岩盤浴装置の基本構成を説明する図である。
【考案を実施するための形態】
【００２４】
本考案の実施の形態を添付図に基づいて以下に説明する。
【実施例】
【００２５】
図１に示すように、岩盤浴装置１０は、人（図３、符号１１）の脊柱Ｓ字カーブに倣った形態のＳ字断面を有する金属板１２と、この金属板１２の下面に付設され（又は金属板１２に内蔵され）金属板１２を温める面ヒータ１３と、金属板１２を受けるバックアップ材１４と、金属板１２の上面に付設される格子部材１５と、格子部材１５で区切られた格子空間１６の各々にセットされる小袋１７からなる。
【００２６】
金属板１２は、アルミニウム合金板が、成形しやすく、入手しやすく、軽量であり、その上、表面が酸化アルミニウムで覆われ、この酸化アルミニウムが保護膜となって耐腐食性能を発揮するため、好適である。濡れに強い点では、アルミニウム合金の他、ステンレス鋼やチタン合金も採用可能である。
【００２７】
面ヒータ１３は、便宜上、変形させたが、単品状態では、プラグ１８を備えた平板である。
【００２８】
バックアップ材１４は、十分な大きさの枠２１と、この枠２１に敷き詰めるグラスウール断熱材２２と、このグラスウール断熱材２２の下面に敷く又は貼り付ける遮熱反射シート２３とからなる。
全体を木製ベッドに一体化する、又は木製ベッドに載せることで、持ち運びや移動自在とすることが望ましい。
【００２９】
図２に示すように、小袋１７は、袋体２４と、この袋体２４に収納されるクッション材２５と、このクッション材２５で包まれるようにして袋体２４に収納され遠赤外線を含む放射線を放出するセラミックボール２６とからなる。なお、セラミックボール２６は、ナイロンネット２７に詰められている。すなわち、ナイロンネット２７に詰められたセラミックボール２６は、クッション材２５で包まれた状態で袋体２４に収納されている。
袋体２４は無数の通気孔を有する。
【００３０】
ナイロンネット２７に詰められるセラミックボール２６は、水の分子を吸着する吸着ボールや抗菌性を有する抗菌ボールが適している。吸着ボールであれば蒸気発生に寄与する。抗菌ボールであれば黴や雑菌の繁殖を抑える。
【００３１】
袋体２４は、人工皮革が好ましい。皮革であれば、人の肌に優しい。人工であれば、量産が可能となる。人工皮革は、製造の過程で微細な孔が設けられる。また、孔は、後にニードルパンチで開けてもよい。
【００３２】
クッション材２５は、綿が好ましい。綿は天然綿でもよいが、化繊綿がより好ましい。濡れても変質しないからである。化繊綿は、中空糸膜チューブで構成してもよい。中空糸膜は微細な孔を有し、チューブ内に水を蓄えることができる。
【００３３】
セラミックボール２６は、外径が２．０〜６．０ｍｍの球又は塊である。２．０ｍｍ未満であると分散性が低下し、凝集する心配がある。また、６．０ｍｍを超えるとクッション材２５を突き破って、袋体２４に達する心配がある。セラミックボール２６は、軽石のように無数の孔を有するものであってもよい。無数の孔が水を蓄える役割を果たす。セラミックボール２６は、温められると遠赤外線他の放射線を放射する黒色珪石であってもよい。
【００３４】
綿とセラミックボールは、綿を６０〜８０容積％、セラミックボールを２０〜４０容積％とする。すなわち、綿を多くすることにより、肌へセラミックボールが当たらないようにする。
【００３５】
小袋１７の寸法は、縦×横×厚さが、（５０〜１５０）ｍｍ×（５０〜１５０）ｍｍ×（３０〜６０）ｍｍとなるようにすることが望ましい。
想像線で示す格子部材１５は、直線的に延びるバー２８と、このバー２８を金属板１２に固定するステー２９とからなる。ステー２９は、橋脚のように、分散配置される。格子部材１５の高さは、概ね小袋１７の厚さの半分とする。バー２８は中空、中実の何れであってもよい。
【００３６】
図３に示すように、格子部材１５で区切られた格子空間に、各々小袋１７をセットした上で、これらの小袋１７の上に人１１が横たわる。金属板１２が人１１の脊柱Ｓ字カーブに倣った形態のＳ字断面を呈しているため、小袋１７の上面は曲線を呈する。
その上、小袋１７は、クッション材２５が詰められているため、人１１の身体の部位に合致するように局部変形する。よって、身体が痛くなる心配がない。
【００３７】
プラグ１８にて通電状態にすることで、面ヒータ１３が発熱し、この発熱で金属板１２が熱せられ、小袋１７が熱せられる。
【００３８】
図４に示すように、スポイト３１で適宜、セラミックボール２６付近に注水する。この注水は、セラミックボール２６に蓄えられる。セラミックボール２６が温められると、遠赤外線及びその他の放射線を放射すると共に蒸発し、蒸気が袋体２４の通気孔から放出され、人（図３、符号１１）を包む。結果、体感温度を高め身体に無理のない岩盤浴効果が提供される。
【００３９】
小袋１７は圧縮されると、バー２８に食い込む。そのため、図３にて人１１が寝返りを打っても、小袋１７がずれる心配はない。その上、小袋１７が痛んだり汚れた場合には、小袋１７を単位に新品と交換することができ、衛生状態を良好に保つことができる。
【００４０】
尚、図３では、全身浴が可能な岩盤浴装置１０を示したが、この岩盤浴装置１０は、半身浴、特に上半身浴が可能なハーフサイズの装置であってもよい。
また、小袋１７へ給水する場合、給水は、スポイト３１が好適であるが、常設のシャワー、手持ちの如雨露（じょうろ）の何れで実施してもよく、その形態、用法は、任意である。
【００４１】
さらには、図２にて、小袋１７から紐を延ばし、この紐をバー２８に縛り付けるようにしてもよい。または、小袋１７の下面と金属板１２とを面ファスナーで直脱可能に連結してもよい。クッション材２５は、綿の他、スポンジであってもよい。
【産業上の利用可能性】
【００４２】
本考案は、人工の岩盤浴に好適である。
【符号の説明】
【００４３】
１０…岩盤浴装置、１１…人、１２…金属板、１３…面ヒータ、１５…格子部材、１６…格子空間、１７…小袋、２４…袋体、２５…クッション材、２６…セラミックボール。
【図１】
0003192518.tif 000003
【図２】
0003192518.tif 000004
【図３】
0003192518.tif 000005
【図４】
0003192518.tif 000006
【図５】
0003192518.tif 000007
【手続補正書】
【提出日】平成26年6月17日(2014.6.17)
【手続補正１】
【補正対象書類名】明細書
【補正対象項目名】０００２
【補正方法】変更
【補正の内容】
【０００２】
岩盤からラジウム線が放射されることで有名な温泉がある。この放射線は患部に治療効果を発揮すると信じられている。この種の設備は岩盤浴と呼ばれる。前記温泉の設備は天然の岩盤浴と呼ばれる。
【手続補正２】
【補正対象書類名】明細書
【補正対象項目名】０００３
【補正方法】変更
【補正の内容】
【０００３】
前記温泉に出向く手間を省くため、人工の岩盤浴が提案され、実用に供されている（例えば、特許文献１（図２）参照。）。